(57)【要約】【課題】昼夜を問わず実際の天候に応じた情報を正確に即座に通知し、利用者に天候の変化に応じた行動を促すことが可能な太陽光発電システムを提供することを目的とする。【解決手段】太陽光発電システムは、屋外に設置される太陽電池１と、太陽電池１によって光電変換された電力を交流電力に変換するパワーコンディショナ２と、パワーコンディショナ２によって変換される交流電力に関する情報を表示する電力モニタ７と、屋外における雨を感知する感雨センサ１３と、感雨センサ１３の感雨結果を通知する通知部とを備えている。【選択図】図１
2016001958.tif 000002
【特許請求の範囲】
【請求項１】
屋外に設置される太陽電池と、
前記太陽電池によって光電変換された電力を交流電力に変換するパワーコンディショナと、
前記パワーコンディショナによって変換される交流電力に関する情報を表示する電力モニタと、
前記屋外における雨を感知する感雨センサと、
前記感雨センサの感雨結果を通知する通知部と、
を備える、太陽光発電システム。
【請求項２】
前記パワーコンディショナから得られる前記太陽電池の発電状態と、前記感雨センサの感雨結果とに基づいて、前記屋外における天候状態を検出する状態検出部をさらに備え、
前記通知部は、前記状態検出部によって検出された前記屋外における天候状態に基づいて通知を行う、請求項１記載の太陽光発電システム。
【請求項３】
前記屋外における太陽光の日射量を測定する日射計をさらに備え、
前記状態検出部は、前記太陽電池の発電状態に代えて、前記日射量と、前記感雨センサの感雨結果とに基づいて、前記屋外における天候状態を検出する、請求項２記載の太陽光発電システム。
【請求項４】
前記通知部は前記電力モニタであり、
前記天候状態に応じて、前記電力モニタの画面の表示を変更する画面表示変更部をさらに備える、請求項２または請求項３記載の太陽光発電システム。
【請求項５】
現在時刻を取得する現在時刻取得部をさらに備え、
前記画面表示変更部によって変更される前記画面の表示とは、前記画面の背景色と、前記画面に表示される図形の画像であり、
前記画面表示変更部は、前記現在時刻に応じて前記画面の背景色を変更するとともに、前記屋外における天候状態に応じて前記図形の画像を変更する、請求項４記載の太陽光発電システム。
【請求項６】
前記感雨センサは、霧および結露の影響を除去するためのヒーターを備える、請求項１から５のいずれか１つに記載の太陽光発電システム。
【請求項７】
前記通知部は、前記感雨センサが雨を感知した場合にその旨を音声で通知する音声部である、請求項２または請求項３記載の太陽光発電システム。
【請求項８】
前記通知部は、前記感雨センサが雨を感知した場合に予め登録された携帯情報端末にその旨を通知するために当該携帯情報端末と通信を行う通信部である、請求項２または請求項３記載の太陽光発電システム。
【請求項９】
前記音声部は、前記感雨センサが雨上がりを感知した場合に音声でその旨を通知する、請求項７記載の太陽光発電システム。
【請求項１０】
前記通信部は、前記感雨センサが雨上がりを感知した場合に前記携帯情報端末にその旨を通知するために当該携帯情報端末と通信を行う、請求項８記載の太陽光発電システム。
【請求項１１】
前記感雨センサに代えて、前記屋外における湿度を測定する湿度計を備え、
前記通知部は、前記湿度に基づいて雨が降っている旨を通知する、請求項１記載の太陽光発電システム。
【請求項１２】
前記屋外における温度を測定する温度計をさらに備える、請求項１から１１のいずれか１つに記載の太陽光発電システム。
【請求項１３】
前記屋外における気圧の時間的変化を検出する気圧センサをさらに備える、請求項１から１１のいずれか１つに記載の太陽光発電システム。
【請求項１４】
インターネットを介して前記屋外における天気予報の情報を取得する情報取得部をさらに備える、請求項１から１１のいずれか１つに記載の太陽光発電システム。
【発明の詳細な説明】
【技術分野】
【０００１】
本発明は、太陽光発電システムにおいて、天候等の情報を検出し通知するシステムに関するものである。
【背景技術】
【０００２】
従来、太陽光発電装置において太陽光の発電状態を知るために太陽電池出力の電気パラメータを測定し、または、電力変換器から出力される電力のパラメータから、発電状態を検出し、設置場所、設置方位、設置角度およびカレンダ情報から、理論日射強度を算出し、晴天度を求め天気情報を提供することができるシステムが提案されている（例えば、特許文献１参照）。
【０００３】
また、インターネット回線に接続して、データサーバーから天気情報を取り込み、本日の天気を表示する機能をもつシステムが提案されている（例えば、特許文献２参照）。
【０００４】
また、太陽光発電装置において発電状況から気象状況を予測し、表示および音声で通知し、さらに、移動体通信端末に発信するシステムが提案されている（例えば、特許文献３参照）。
【先行技術文献】
【特許文献】
【０００５】
【特許文献１】特開２００３−１２１５５８号公報
【特許文献２】特開２００８−２０２９８３号公報
【特許文献３】特開２００５−１０１２０８号公報
【発明の概要】
【発明が解決しようとする課題】
【０００６】
しかしながら、特許文献１に記載のシステムでは、晴天と曇りを判別することができるが、雨が降っていることまでは判別できない。
【０００７】
また、特許文献２に記載のシステムでは、タイムリーに現在の天気情報が更新されないという問題、および近年のゲリラ豪雨などの局所的で急な天候変化に対応できずリアルタイム性に欠けるという問題がある。
【０００８】
また、特許文献３に記載のシステムでは、あくまで発電状況の変化から雨を推測するものであるため、曇りか雨かは正確に判断できない。したがって、晴れているにも関わらず雨が降るという天気雨のような天気状況では利用者に雨が降っていることを通知することができない。このため、雨の吹き込みおよび洗濯物の濡れを防ぐことができないことになってしまう。また、夕方および夜間に雨が降り出した場合は、感雨センサがないため、正確に天候変化を検出できないという問題がある。
【０００９】
そこで、本発明は、昼夜を問わず実際の天候に応じた情報を正確に即座に通知し、利用者に天候の変化に応じた行動を促すことが可能な太陽光発電システムを提供することを目的とする。
【課題を解決するための手段】
【００１０】
本発明に係る太陽光発電システムは、屋外に設置される太陽電池と、前記太陽電池によって光電変換された電力を交流電力に変換するパワーコンディショナと、前記パワーコンディショナによって変換される交流電力に関する情報を表示する電力モニタと、前記屋外における雨を感知する感雨センサと、前記感雨センサの感雨結果を通知する通知部とを備えるものである。
【発明の効果】
【００１１】
本発明によれば、屋外における雨を感知する感雨センサと、感雨センサの感雨結果を通知する通知部とを備えるため、感雨センサの感雨結果に基づいて、昼夜を問わず実際の天候に応じた情報を正確に即座に通知することができる。これにより、利用者に天候の変化に応じた行動を促すことが可能である。
【図面の簡単な説明】
【００１２】
【図１】実施の形態１に係る太陽光発電システムのハードウェア構成例を示すブロック図である。
【図２】実施の形態１において天気情報の通知処理を示すフローチャートの一部である。
【図３】実施の形態１において天気情報の通知処理を示すフローチャートの残部である。
【図４】実施の形態１において昼間の晴れの場合における電力モニタの画面表示の一例を示す図である。
【図５】実施の形態１において昼間の曇りの場合における電力モニタの画面表示の一例を示す図である。
【図６】実施の形態１において昼間の雨の場合における電力モニタの画面表示の一例を示す図である。
【図７】実施の形態１において夜間の雨がない場合における電力モニタの画面表示の一例を示す図である。
【図８】実施の形態１において夜間の雨の場合における電力モニタの画面表示の一例を示す図である。
【図９】実施の形態２に係る太陽光発電システムのハードウェア構成例を示すブロック図である。
【図１０】実施の形態２において天気情報の通知処理を示すフローチャートの一部である。
【図１１】実施の形態２において天気情報の通知処理を示すフローチャートの残部である。
【発明を実施するための形態】
【００１３】
＜実施の形態１＞
本発明の実施の形態１について、図面を用いて以下に説明する。図１は、実施の形態１に係る太陽光発電システムのハードウェア構成例を示すブロック図である。
【００１４】
図１に示すように、太陽光発電システムは、太陽電池１と、パワーコンディショナ２と、分電盤３と、状態検出部６と、電力モニタ７と、ＬＡＮアダプタ９とを備えている。太陽電池１は、屋外の屋根上などに設置され、太陽光を光電変換することで発電する。パワーコンディショナ２は、太陽電池１によって発電された直流電力を交流電力に変換し、分電盤３側に交流電力を供給する。
【００１５】
分電盤３は、商用電源（系統）４に接続されているとともに、家庭内の複数のブレーカーに分岐した後、電気機器（負荷）５に接続されている。分電盤３と商用電源４との間の電源ラインに売買電力計測部８が配置されている。売買電力計測部８は、分電盤３と商用電源４との間の電源ラインを流れる電流から太陽電池１の発電量（発電状態）と売電量／買電量を計測する。
【００１６】
感雨センサ１３は、屋外の屋根上、バルコニーまたは外壁などに設置され、屋外における雨を感知する。換言すると、感雨センサ１３は、屋外における降雨状態または雨上がり状態を検出する。ここで、感雨センサとして、静電容量式のヒーター内蔵式感雨センサを用いることが望ましい。本実施の形態では、感雨センサ１３は、ヒーター１３ａを備えており、ヒーター１３ａの働きによって霧および結露の影響を除去したり、降雨状態の終わりである雨上がり状態を確実に検出したりすることが可能となる。
【００１７】
状態検出部６は、太陽電池１の発電量と、感雨センサ１３の感雨結果とに基づいて、屋外における天候状態を示す天気情報を検出する。また、状態検出部６は、現在時刻である時刻情報を取得する現在時刻取得部としての機能を有しており、例えば、実時間を保持するリアルタイムクロック機能を有するマイコンを備えている。なお、現在時刻取得部は、状態検出部６と別に設けられていてもよい。
【００１８】
電力モニタ７は、表示装置であり、パワーコンディショナ２によって変換される交流電力に関する情報を表示する。より具体的には、電力モニタ７は、発電量、売電量／買電量および消費量を表示し、さらに天候情報を表示する。また、電力モニタ７は、例えばスピーカーで構成される音声部７ａを備えている。
【００１９】
また、状態検出部６は、天候情報に応じて、電力モニタ７の画面７ｂ（図４参照）の表示を変更する画面表示変更部としての機能を有している。その詳細については後述する。なお、画面表示変更部は、状態検出部６と別に設けられていてもよい。
【００２０】
ＬＡＮアダプタ９（通信部）は、インターネット回線であるネットワーク１１と接続されるモデム１０に接続され、ネットワーク１１を介して利用者の携帯情報端末１２と通信を行う。より具体的には、ＬＡＮアダプタ９は、携帯情報端末１２にメールを送信する。ここで、携帯情報端末１２は、例えば携帯電話機またはスマートフォンなどである。なお、電力モニタ７、音声部７ａまたはＬＡＮアダプタ９は、感雨センサ１３の感雨結果を通知する通知部に相当する。
【００２１】
さらに、太陽光発電システムは記憶部（図示省略）を備え、記憶部に利用者の携帯情報端末１２のメールアドレスを登録（記憶）しておくことが可能である。
【００２２】
屋外に設置された感雨センサ１３は、センサ表面に雨滴が付いたとき、それを検出し状態検出部６に信号を送る。本実施の形態１に係る太陽光発電システムでは、利用者が事前に初期設定で携帯情報端末１２のメールアドレスを登録しておくことで、雨を感知した場合にはネットワーク１１を介して携帯情報端末１２に、雨が降ってきたという情報を通知するための通知メールを送信することができる。利用者が、電力モニタ７の設置されている部屋にいない場合においても、携帯情報端末１２宛に通知メールを送信することができるため、一層確実に利用者に雨が降ってきたという情報を通知することができる。
【００２３】
次に、図２から図８を用いて、天気情報の通知処理について説明する。図２は、天気情報の通知処理を示すフローチャートの一部であり、図３は、天気情報の通知処理を示すフローチャートの残部である。図４は、昼間の晴れの場合における電力モニタ７の画面表示の一例を示す図であり、図５は、昼間の曇りの場合における電力モニタ７の画面表示の一例を示す図であり、図６は、昼間の雨の場合における電力モニタ７の画面表示の一例を示す図であり、図７は、夜間の雨がない場合における電力モニタ７の画面表示の一例を示す図であり、図８は、夜間の雨の場合における電力モニタ７の画面表示の一例を示す図である。
【００２４】
利用者、または太陽光発電システムを設置した設置業者は、太陽電池１の位置情報、設置方位および設置角度などを初期設定で記憶部に登録しておく。ここで、位置情報は、住所または郵便番号で登録されている。また、記憶部は、日付の情報であるカレンダ情報を予め記憶している。
【００２５】
状態検出部６は、位置情報、カレンダ情報および時刻情報に基づいて、日の出時刻および日の入り時刻を導出する（ステップＳ１）。具体的には、状態検出部６は、位置情報に基づいて太陽電池１の設置位置の緯度および経度を特定し、太陽電池１の設置位置の緯度および経度、カレンダ情報および時刻情報に基づいて、日の出時刻および日の入り時刻を導出する。これにより、状態検出部６は、現在が昼間であるか夜間であるかを判断することができる。
【００２６】
現在が夜間の場合は（ステップＳ２においてＮＯ）、状態検出部６は、感雨センサ１３からの信号に基づいて感雨センサ１３のセンサ面が濡れているかどうかを判断し、センサ面が濡れてない場合（ステップＳ１４においてＮＯ）、状態検出部６は、図７に示すように、電力モニタ７の画面７ｂにおいて背景色を黒色にし、月または星空などのイラスト６０（図形）を表示させた後（ステップＳ１８）、本処理は終了する。また、背景色が黒色になると同時に、文字色を白色にすることで視認性を良くすることができる。
【００２７】
夜間でセンサ面が濡れている場合（ステップＳ１４においてＹＥＳ）、状態検出部６は、図８に示すように、電力モニタ７の画面７ｂにおいて背景色を黒色にし、雨のイラスト７０（図形）を表示させる（ステップＳ１５）。また、背景色が黒色になると同時に、文字色を白色にすることで視認性を良くすることができる。次に、音声部７ａは、降雨を知らせる音声メッセージを通知し（ステップＳ１６）、ＬＡＮアダプタ９は、登録されているメールアドレスに雨である旨の通知メッセージを送信した後（ステップＳ１７）、本処理は終了する。
【００２８】
一方、昼間の場合は（ステップＳ２においてＹＥＳ）、先ず、状態検出部６は、感雨センサ１３のセンサ面が濡れているかどうかを判断する（ステップＳ３）。センサ面が濡れている場合（ステップＳ３においてＹＥＳ）、状態検出部６は、降雨状態であると判断し図６に示すように、電力モニタ７の画面７ｂにおいて背景色を灰色にし、雨雲のイラスト５０（図形）を表示させる（ステップＳ１１）。次に、音声部７ａは、降雨を知らせる音声メッセージを通知し（ステップＳ１２）、ＬＡＮアダプタ９は、登録されているメールアドレスに雨である旨の通知メッセージを送信した後（ステップＳ１３）、本処理は終了する。
【００２９】
センサ面が濡れていない場合は（ステップＳ３においてＮＯ）、状態検出部６は、予め利用者または設置業者によって入力された太陽電池１の位置情報、設置方位および設置角度と、記憶部に記憶されたカレンダ情報と、現在時刻取得部としての機能を有する状態検出部６によって取得された時刻情報とから理論的な照射強度である理論照射強度を導出する（ステップＳ４）。
【００３０】
次に、状態検出部６は、理論照射強度と太陽電池１の変換効率とから理論出力（Ａ）を算出し、実発電量（Ｂ）をパワーコンディショナ２から取得し、比率Ｂ／Ａから晴天度を算出する。晴天度が７０％以上である場合、状態検出部６は、晴れであると判断し、図４に示すように、電力モニタ７の画面７ｂにおいて背景色を水色にし、太陽のイラスト３０（図形）を表示させた後（ステップＳ９）、本処理は終了する。
【００３１】
晴天度が７０％未満の場合は（ステップＳ８においてＮＯ）、状態検出部６は、曇りと判断し、図５に示すように、電力モニタ７の画面７ｂにおいて背景色を白色にし、雲のイラスト４０（図形）を表示させた後（ステップＳ１０）、本処理は終了する。ここで、本処理は、太陽光発電システムの動作時に繰り返し実行されるものとする。
【００３２】
以上のように、実施の形態１に係る太陽光発電システムは、屋外における雨を感知する感雨センサ１３と、感雨センサ１３の感雨結果を通知する通知部とを備えるため、感雨センサ１３の感雨結果に基づいて、昼夜を問わず実際の天候に応じた情報を正確に即座に通知することができる。これにより、利用者に天候の変化に応じた行動を促すことが可能である。
【００３３】
また、感雨センサ１３を備えることで、天気雨のように晴れているのに雨が降っている場合にも精度良く降雨状態であることを検出することができる。
【００３４】
太陽光発電システムは、パワーコンディショナ２から得られる太陽電池１の発電状態と、感雨センサ１３の感雨結果とに基づいて、屋外における天候情報を検出する状態検出部６をさらに備え、通知部は、状態検出部６によって検出された屋外における天候情報に基づいて通知を行う。太陽電池１の発電状態と、感雨センサ１３の感雨結果とを用いることで、雨と曇りを判別することができるため、洗濯物を外に干している日に、雨が降り出した際に通知部を用いて通知することができる。これにより、外に干した洗濯物を取り込んだり、窓が開いていれば窓を閉めたりといった行動を利用者に促すことができる。
【００３５】
通知部は電力モニタ７であり、状態検出部６は、天候状態に応じて、電力モニタ７の画面７ｂの表示を変更する画面表示変更部としての機能を備えている。したがって、利用者は電力モニタ７の画面７ｂの表示を見て、現在の天候情報を視認することができる。
【００３６】
状態検出部６は、現在時刻を取得する現在時刻取得部としての機能を備え、画面表示変更部によって変更される画面７ｂの表示とは、画面７ｂの背景色と、画面７ｂに表示されるイラスト（図形）の画像であり、画面表示変更部は、現在時刻に応じて画面７ｂの背景色を変更するとともに、屋外における天候情報に応じて図形の画像を変更する。
【００３７】
したがって、イラストだけでなく、画面７ｂの背景色も同時に変更させることで、利用者は電力モニタ７の画面７ｂのイラストと背景色を見て、現在の天候情報を容易に視認することができる。
【００３８】
特に電力モニタ７の画面サイズが小型である場合は、それに伴いイラスト（図形）が小さくなるが、現在の天候情報を画面７ｂの背景色でも表現するため、画面７ｂの背景色はイラスト（図形）のみに比べて表示範囲が大きいため視認しやすくなる。
【００３９】
感雨センサ１３は、霧および結露の影響を除去するためのヒーター１３ａを備えるため、ヒーター１３ａの働きによって霧および結露の影響を除去したり、降雨状態の終わりである雨上がり状態を確実に検出したりすることが可能となる。また、雨が止んだ際にも比較的短時間で雨が止んだことを感知できるため、雨が止んだことを利用者に即座に通知することが可能となる。これにより、利用者は雨が止んだことを認識することができ、外に洗濯物を干すタイミングを知ることができる。
【００４０】
通知部は、感雨センサ１３が雨を感知した場合にその旨を音声で通知する音声部７ａであるため、利用者が音声部７ａのある部屋、すなわち、電力モニタ７の設置された部屋にいる場合に雨が降ってきたことを認識することができ、外に干している洗濯物を取り入れることができる。
【００４１】
通知部は、感雨センサ１３が雨を感知した場合に予め登録された携帯情報端末１２にその旨を通知するために当該携帯情報端末１２と通信を行うＬＡＮアダプタ９であるため、利用者が電力モニタ７の設置された部屋以外にいる場合においても携帯情報端末１２に通知メールが送信される。これにより、利用者は雨が降ってきたことを認識しやすくなり、外に干している洗濯物などに対して対処しやすくなる。
【００４２】
また、感雨センサ１３が雨上がりを感知した場合、音声部７ａは、音声でその旨を通知してもよい。この場合、図２と図３のフローチャートにおいてステップＳ９、ステップＳ１０およびステップＳ１８の直後に音声メッセージを通知する旨の処理を行う。したがって、利用者は雨が止んだことを認識することができ、外に洗濯物を干すタイミングを知ることができる。
【００４３】
また、感雨センサ１３が雨上がりを感知した場合、ＬＡＮアダプタ９は、携帯情報端末１２にその旨を通知するために当該携帯情報端末１２と通信を行ってもよい。この場合、図２と図３のフローチャートにおいてステップＳ９、ステップＳ１０およびステップＳ１８の直後に携帯情報端末１２と通信を行う旨の処理を行う。これにより、利用者が電力モニタ７の設置された部屋以外にいる場合においても携帯情報端末１２に通知メールが送信される。したがって、利用者は雨が止んだことを認識することができ、外に洗濯物を干すタイミングを知ることができる。
【００４４】
また、夜間時における降雨状態を通知する音声メッセージまたは携帯情報端末１２への通知メッセージについてＯＮ／ＯＦＦの切り替え設定ができることが望ましい。これにより、夜間就寝時等に電力モニタ７からの音声メッセージまたは携帯情報端末１２に送信されるメッセージの受信音等によって、睡眠が妨げられることを防止できる。
【００４５】
＜実施の形態２＞
次に、実施の形態２に係る太陽光発電システムについて説明する。図９は、実施の形態２に係る太陽光発電システムのハードウェア構成例を示すブロック図である。なお、実施の形態２において、実施の形態１で説明したものと同一の構成要素については同一符号を付して説明は省略する。
【００４６】
実施の形態２においては、太陽電池１の発電量から日射量を推定して晴天度を算出する代わりに、日射計１４を屋外に設置し太陽光の日射量を直接測定することで晴天度を算出する。
【００４７】
図９に示すように、実施の形態２に係る太陽光発電システムは、図１に示す実施の形態１に係る太陽光発電システムに対して、日射計１４を追加したものである。日射計１４は、屋外の屋根上、バルコニーまたは外壁などに設置され、屋外における太陽光の日射量を測定する。測定された日射量は状態検出部６に入力される。
【００４８】
次に、図１０と図１１を用いて、実施の形態２における天気情報の通知処理について説明する。図１０は、実施の形態２において天気情報の通知処理を示すフローチャートの一部であり、図１１は、天気情報の通知処理を示すフローチャートの残部である。
【００４９】
実施の形態２においては、図２に示す実施の形態１の場合のステップＳ５からステップＳ７の代わりに、ステップＳ５Ａの処理を行う。すなわち、ステップＳ１からステップＳ３の処理が実行された後、状態検出部６は、予め利用者または設置業者によって入力された太陽電池１の位置情報、設置方位および設置角度と、記憶部に記憶されたカレンダ情報と、取得した時刻情報とから理論照射強度を導出する（ステップＳ４）。次に、状態検出部６は、日射計１４によって測定された日射量と、理論照射強度との比から、晴天度を算出する（ステップＳ５Ａ）。その後の処理は、実施の形態１の場合と同様であるため説明を省略する。
【００５０】
以上のように、実施の形態２に係る太陽光発電システムは、屋外における太陽光の日射量を測定する日射計１４をさらに備え、状態検出部６は、太陽電池１の発電状態に代えて、日射量と、感雨センサ１３の感雨結果とに基づいて、屋外における天候情報を検出する。この場合、直接日射量を測定することができるため、太陽電池１の劣化等の影響等を排除でき、晴天度の検出精度が向上する。
【００５１】
また、日射計１４による日射量と太陽電池１の発電量との比率から発電効率を求めることができ、発電効率の変化から太陽電池１の経年劣化および光劣化を検出することができる。効率低下が異常であれば、太陽電池１の異常として検出することができる。太陽電池１の出力から晴天度を算出する場合、経年劣化、光劣化および黄砂等の太陽電池１の表面に付着した汚れなどによる効率低下を加味することができれば、一層精度良く晴天度を算出することができる。
【００５２】
次に、実施の形態１，２の変形例について説明する。実施の形態１，２に係る太陽光発電システムにおいて、降雨を検出する手段として感雨センサ１３の代わりに、屋外における湿度を測定する湿度計を備えていても良い。この場合、状態検出部６は、例えば湿度が９０％以上の場合には雨が降っていると判断することができる。この判断に従って、通知部は雨が降っている旨を通知する。
【００５３】
実施の形態１，２に係る太陽光発電システムにおいて、降雨と降雪を検出するために屋外における温度を測定する温度計をさらに備えることが望ましい。温度計を備えることで、状態検出部６は、感雨センサ１３が降雨を感知したときに外気温が氷点下以下であれば、降雪と判断することができる。
【００５４】
実施の形態１，２に係る太陽光発電システムにおいて、屋外における気圧の時間的変化を検出する気圧センサをさらに備えることが望ましい。この場合、気圧センサが気圧の時間的変化を検出し、状態検出部６は、気圧が下降している状態では天候が悪化し始めていることを検出し、天候が悪化していることを通知部へ通知することができる。
【００５５】
実施の形態１，２に係る太陽光発電システムにおいて、インターネット回線であるネットワーク１１を介して屋外における天気予報の情報をＬＡＮアダプタ９経由で取得して、降雪と降雨との識別精度を上げるシステムにしても良い。この場合、ＬＡＮアダプタ９が情報取得部に相当する。天気予報では気温の予報もあるため、状態検出部６は、外気温が氷点下以下と予報されている時間において降雨であれば雪と判断し電力モニタ７に表示させることができる。これにより、屋外に温度計を設けない場合でも、降雪と降雨との判断が可能となる。
【００５６】
なお、本発明は、その発明の範囲内において、各実施の形態を自由に組み合わせたり、各実施の形態を適宜、変形、省略することが可能である。
【符号の説明】
【００５７】
１  太陽電池、２  パワーコンディショナ、６  状態検出部、７  電力モニタ、７ａ  音声部、９  ＬＡＮアダプタ、１２  携帯情報端末、１３  感雨センサ、１３ａ  ヒーター、１４  日射計。
【図１】
2016001958.tif 000003
【図２】
2016001958.tif 000004
【図３】
2016001958.tif 000005
【図４】
2016001958.tif 000006
【図５】
2016001958.tif 000007
【図６】
2016001958.tif 000008
【図７】
2016001958.tif 000009
【図８】
2016001958.tif 000010
【図９】
2016001958.tif 000011
【図１０】
2016001958.tif 000012
【図１１】
2016001958.tif 000013